(57)【要約】      （修正有）【課題】低コストで、シャックルピンがシャックル本体から抜け落ちないシャックルを提供する。【解決手段】シャックル１０は、曲部１１Ａを介して第１の脚部１１Ｂおよび第２の脚部Ｃが形成されたシャックル本体１１と、第１の脚部および第２の脚部に渡されるシャックルピン１２とを有している。第１の脚部の端部には、シャックルピンが挿入されるねじ孔１１Ｄが形成され、第２の脚部の端部には、ねじ孔１１Ｄよりも小径であり、シャックルピンが挿入されるピン孔１１Ｅが形成されている。シャックルピンは、ピン孔１１Ｅに挿入可能な棒状部１２Ａを有し、棒状部の一方の端部には、ピン孔１１Ｅよりも大径であり、ねじ孔１１Ｄに螺合可能なねじ軸部１２Ｂが形成され、棒状部の他方の端部には、ピン孔１１Ｅに対して挿通不可能な大きさの頭部１２Ｃが形成されている。【選択図】図１
0003188467.tif 000002
【実用新案登録請求の範囲】
【請求項１】
曲部を介して互いに対向するように伸長した第１の脚部および第２の脚部を有するシャックル本体と、前記第１の脚部および前記第２の脚部に渡されるシャックルピンとを備えたシャックルであって、
前記第１の脚部の端部には、前記シャックルピンが挿入されるねじ孔が形成され、
前記第２の脚部の端部には、前記ねじ孔よりも小径であり、前記シャックルピンが挿入されるピン孔が形成され、
前記シャックルピンは、前記ピン孔に挿入可能な棒状部を有し、
前記棒状部の一方の端部には、前記ピン孔よりも大径であり、前記ねじ孔に螺合可能なねじ軸部が形成され、
前記棒状部の他方の端部には、前記ピン孔に対して挿通不可能な大きさの頭部が形成されたことを特徴とするシャックル。
【考案の詳細な説明】
【技術分野】
【０００１】
本考案は、ワイヤーロープ等と吊り荷との連結等に用いられるシャックルに関する。
【背景技術】
【０００２】
シャックルは、例えば、吊り荷を移動させる際に、吊り荷に掛け渡したワイヤーロープ等を連結するのに用いられる。このようなシャックルとしては、例えば、Ｕ字型のシャックル本体の両端部にピン孔が設けられ、このピン孔にシャックルピンを貫通させ、シャックルピンの端部をナット等により結合して用いられるものがある。また、シャックル本体の端部にねじ孔を設けると共に、シャックルピンの端部にねじ孔に螺合可能なねじ軸部を形成し、これらを螺合することにより用いられるものもある。しかしながら、このようなシャックルでは、シャックルピンの取り付け、取り外しの際に、シャックルピンが外れて落下してしまい危険を伴ったり、更には、シャックルピンが見つからなくなったりしてしまうという問題があった。
【０００３】
そこで、シャックル本体の両端部にねじ孔を貫通させ雌ねじを設けると共に、シャックルピンの先端部に雄ねじを設けることにより、シャックルピンを一方のピン孔から外しても、シャックル本体から外れにくくなり、シャックルピンが外れて落下してしまうことを防止することが提案されている（例えば、特許文献１参照）。
【先行技術文献】
【特許文献】
【０００４】
【特許文献１】実用新案登録第３１１６０１４号公報
【考案の概要】
【考案が解決しようとする課題】
【０００５】
しかしながら、このようなシャックルでも、振動等によりシャックルピンが回転してシャックル本体から外れてしまうおそれがある。また、雌ねじを複数設けなければならないので、コストも高いという問題があった。よって、低コストで、シャックルピンがシャックル本体から抜け落ちないシャックルの開発が望まれていた。
【０００６】
本考案は、このような問題に基づきなされたものであり、低コストでシャックルピンがシャックル本体から抜け落ちないシャックルを提供することにある。
【課題を解決するための手段】
【０００７】
本考案のシャックルは、曲部を介して互いに対向するように伸長した第１の脚部および第２の脚部を有するシャックル本体と、第１の脚部および第２の脚部に渡されるシャックルピンとを備えたものであって、第１の脚部の端部には、シャックルピンが挿入されるねじ孔が形成され、第２の脚部の端部には、ねじ孔よりも小径であり、シャックルピンが挿入されるピン孔が形成され、シャックルピンは、ピン孔に挿入可能な棒状部を有し、棒状部の一方の端部には、ピン孔よりも大径であり、ねじ孔に螺合可能なねじ軸部が形成され、棒状部の他方の端部には、ピン孔に対して挿通不可能な大きさの頭部が形成されたものである。
【０００８】
このシャックルでは、シャックルピンのねじ軸部を第１の脚部のねじ孔に螺合することにより使用される。ねじ軸部がねじ孔から外された際には、シャクルピンの一方の端部に形成されたねじ軸部が第２の脚部のピン孔よりも大径で形成されていると共に、他方に形成された頭部がピン孔に対して挿通不可能な大きさに形成されているので、ピン孔から抜け落ちることがない。
【考案の効果】
【０００９】
本考案のシャックルによれば、シャックルピンにねじ軸部を設けると共に、第１の脚部の端部にねじ孔を設けるようにしたので、ねじ軸部をねじ孔に螺合することにより、シャックルピンを、シャックル本体の第１の脚部および第２の脚部に渡すことができる。また、シャックルピンのねじ軸部を第２の脚部のピン孔よりも大径となるように形成すると共に、シャックルピンの頭部をピン孔に対して挿通不可能な大きさに形成するようにしたので、シャックルピンがピン孔から抜け落ちることを防止することができる。また、ねじ孔を複数設けなくてもよいので、コストを低くすることもできる。
【図面の簡単な説明】
【００１０】
【図１】本考案の一実施の形態に係るシャックルの構成を表す部分断面図である。
【考案を実施するための形態】
【００１１】
以下、本考案の実施の形態について、図面を参照して詳細に説明する。
【００１２】
図１は、本考案の第一の実施の形態に係るシャックル１０の構成を表すものであり、一部は断面図となっている。このシャックル１０は、シャックル本体１１と、シャックルピン１２とから構成されている。シャックル本体１１は、曲部１１Ａを介して互いに対向するように伸長した第１の脚部１１Ｂと第２の脚部１１Ｃとを有しており、例えば、Ｕ字型をしている。このシャックル１０は、シャックルピン１２を第１の脚部１１Ｂおよび第２の脚部１１Ｃに渡すことにより使用される。
【００１３】
第１の脚部１１Ｂの端部には、シャックルピン１２が挿入されるねじ孔１１Ｄが形成されており、例えば、雌ねじとなっている。また、第２の脚部１１Ｃの端部には、ねじ孔１１よりも小径であり、シャックルピン１２が挿入されるピン孔１１Ｅが形成されている。
【００１４】
シャックルピン１２は、ピン孔１１Ｅに挿入可能な棒状部１２Ａを有している。棒状部１２Ａの一方の端部には、ねじ軸部１２Ｂが形成されており、ねじ孔１１Ｄに螺合可能となっていると共に、ピン孔１１Ｅよりも大径となっている。ねじ軸部１２Ｂは、例えば、雄ねじとなっている。棒状部１２Ａの他方の端部には、ピン孔１１Ｅ対して挿通不可能な大きさの頭部１２Ｃが形成されている。このように、棒状部１２Ａの各端部に、それぞれねじ軸部１２Ｂおよび頭部１２Ｃを形成することにより、ピン孔１１Ｅからシャックルピン１２が抜け落ちないようになっている。
【００１５】
このようなシャックル１０は、例えば、次のようにして製造することができる。まず、第１の脚部１１Ｂにねじ孔１１Ｄを形成すると共に、第２の脚部１１Ｃにねじ孔１１Ｄよりも小径なピン孔１１Ｅを形成しシャックル本体１１を形成する。続いて、ピン孔１１Ｅを貫通可能な棒状部材の一端部に、ねじ軸部１２Ｂを形成し、棒状部材の他端部側から、ねじ孔１１Ｄおよびピン孔１１Ｅを順次通過させる。その際、ねじ軸部１２Ｂは、ピン孔１１Ｅより大径であるので、ピン孔１１Ｅを通過しない。通過した棒状部材の端部に、例えば、溶接接続により、頭部１２Ｃを形成する。その際、頭部１２Ｃの長径がピン孔１１Ｅの内径よりも大きくなるようにする。
【００１６】
このシャックル１０は、例えば、シャックルピン１１のねじ軸部１２Ｂを第１の脚部１１Ｂのねじ孔１１Ｄに螺合することにより使用される。ねじ軸部１２Ｂがねじ孔１１Ｄから外された際には、シャクルピン１２の一方の端部に形成されたねじ軸部１２Ｂが第２の脚部１１Ｃのピン孔１１Ｅよりも大径で形成されていると共に、他方に形成された頭部１２Ｃがピン孔１１Ｅに対して挿通不可能な大きさに形成されているので、シャックルピン１２がピン孔１１Ｅから抜け落ちないようになっている。
【００１７】
このように本実施の形態によれば、シャックルピン１２にねじ軸部１２Ｂを設けると共に、第１の脚部１１Ｂの端部にねじ孔１１Ｄを設けるようにしたので、ねじ軸部１２Ｂをねじ孔１１Ｄに螺合することにより、シャックルピン１２を、シャックル本体１１の第１の脚部１１Ｂおよび第２の脚部１１Ｃに渡すことができる。また、シャックルピン１２のねじ軸部１２Ｂを第２の脚部１１Ｃのピン孔１１Ｅよりも大径となるように形成すると共に、シャックルピン１２の頭部１２Ｃをピン孔１１Ｅに対して挿通不可能な大きさに形成するようにしたので、シャックルピン１２がピン孔１１Ｅから抜け落ちることを防止することができる。また、ねじ孔１１Ｄを複数設けなくてもよいので、コストを低くすることもできる。
【００１８】
以上、実施の形態及び実施例を挙げて本考案を説明したが、本考案は上記実施の形態及び実施例に限定されるものではなく、種々変形可能である。例えば、上記実施の形態では、シャックル本体がＵ字型のストレート型シャックルについて具体的に説明したが、バウ型であってもよい。
【符号の説明】
【００１９】
１０…シャックル、１１…シャックル本体、１１Ａ…曲部、１１Ｂ…第１の脚部、１１Ｃ…第２の脚部、１１Ｄ…ねじ孔、１１Ｅ…ピン孔、１２…シャックルピン、１２Ａ…棒状部、１２Ｂ…ねじ軸部、１２Ｃ…頭部
【図１】
0003188467.tif 000003